(57)【特許請求の範囲】
【請求項１】
本体キャビネットの前面を開閉する外扉に形成されたディスプレイ室内に配設され、複数の立体状商品見本を展示するディスプレイ台と、前記ディスプレイ台上に展示された複数の商品見本に対応して少なくとも商品価格の価格情報をデジタル表示する商品情報表示ユニットとを備え、前記商品情報表示ユニットをディスプレイ台の前面に設置してなる自動販売機の商品見本展示装置において、
前記商品情報表示ユニットに前後に重ねて装着される横長帯状の透明平板部、及び当該透明平板部の上部に連ねて形成され、薄い平板からなるシート状商品見本を係止固定する保持部を備えた商品見本展示用アタッチメントを設け、当該商品見本展示用アタッチメントの透明平板部は、前記商品情報表示ユニットにおける価格情報の表示位置に対応する箇所に価格シールの貼り付け位置を示す標示部を有することを特徴とする自動販売機の商品見本展示装置。
【請求項２】
請求項１記載の自動販売機の商品見本展示装置において、標示部は凹形若しくは凸形のレンズとして形成されていることを特徴とする自動販売機の商品見本展示装置。
【請求項３】
請求項１記載の自動販売機の商品見本展示装置において、商品見本展示用アタッチメントにおける横長帯状の透明平板部の上部に連ねて形成される保持部は、薄い平板からなるシート状商品見本の下部に上下方向に延在するとともに下方に開放した二つのスリットが差し込まれる左右方向に延在する塀状のレール具であり、当該レール具に前記シート状商品見本の二つのスリット間の幅寸法よりも小さい幅寸法で前記各シート状商品見本のスリットと相互に係合するスリットを形成してなることを特徴とする自動販売機の商品見本展示装置。
【請求項４】
請求項１記載の自動販売機の商品見本展示装置において、商品見本展示用アタッチメントにおける横長帯状の透明平板部の上部に連ねて形成される保持部は、シート状商品見本の下端を保持する一条の保持溝を有し、かつ、前記一条の保持溝を前方側に凸となるように湾曲状に形成した複数の保持具であることを特徴とする自動販売機の商品見本展示装置。
【発明の詳細な説明】
【技術分野】
【０００１】
この発明は、自動販売機における本体キャビネットの庫内に缶入り飲料，ペットボトル入り飲料などの商品をコールド，ホット状態に区分して保存し、外扉のディスプレイ室内に設置したディスプレイ台上に複数の商品見本を左右に並べて展示した自動販売機の商品見本展示装置に関するものである。
【背景技術】
【０００２】
この種の従来の自動販売機の商品見本展示装置について図１１を用いて説明する。図１１は一般的な缶入り飲料，ペットボトル入り飲料を販売する自動販売機の斜視図である。図に示すように、この自動販売機は、前面が開放した断熱筐体として形成された本体キャビネット１０と、本体キャビネット１０の前面に開閉可能に支持された外扉２０とからなる。本体キャビネット１０の商品収納庫の前面は開閉可能な断熱内扉３０によって閉塞されている。本体キャビネット１０の庫内には、断熱仕切壁により左右方向に複数の商品収納室に区分され、各商品収納室には商品を横倒し状態で収納するとともに下端部に商品搬出装置を有する商品ラックが収設され、また、各商品収納室の下端には、当該各商品収納室を冷却もしくは加熱して商品ラックに収納した商品をコールド・ホット状態に保存する冷却／加熱ユニットが配設されている。
【０００３】
外扉２０の前面の上部域は透明板４０で覆われ、この透明板４０と外扉２０に開閉可能に支持された中扉６０との間の空間がディスプレイ室５０として形成されている。前記中扉６０の前面には、本体キャビネット１０の庫内に収納した商品に対応した複数の立体状商品見本８０を左右に一列に並べて載置したディスプレイ台７０が上下方向に３段並べて取付けられている。前記透明板４０には、各ディスプレイ台７０と対峙する位置に商品選択ボタンユニット９０が設けられ、商品選択ボタンユニット９０は、ディスプレイ台７０に載置された各立体状商品見本８０に対応して左右に一列に並べて設けた商品選択ボタン（不図示）を有している。さらに、外扉２０の前面には、硬貨識別装置２０１に連通する硬貨投入口、紙幣識別装置２０２に連通する紙幣挿入口、硬貨返却口、返却レバー及びロック付ハンドル、商品取出口２０３などが設けられている。
【０００４】
前記ディスプレイ台７０は、周知であるので詳細な図示は省略するが、中扉６０に固定された左右一対の固定部材とこの左右一対の固定部材に着脱自在に装着される商品載置台からなる。前記商品載置台は、縦断面略コ字形で下方が開放した横長箱状体の内部に蛍光灯などの照明光源が設けられ、その上面壁には立体状商品見本８０を嵌合保持する係合穴が左右方向に複数並設されている。
【０００５】
前記立体状商品見本８０は光透過材料により形成された中空状の本体の底面に光導入部を設け、前記光導入部から本体の内部に光を導入して本体を内側から照明するように構成されている。前記立体状商品見本８０は前記ディスプレイ台７０に形成した係合穴に嵌合保持されると、ディスプレイ台７０の内部に設けた照明光源からの光がディスプレイ台７０の係合穴と立体状商品見本８０の底部に形成した光導入部とを通して中空状の商品見本の内部に照射され、商品見本が恰も発光しているように展示されることは周知である。前記立体状商品見本８０は立体、具体的には、缶，瓶，ペットボトルなどの容器形状に一致させた中空状の本体を備えた商品見本や、前記中空状の本体を縦方向に半分に切断した半割り状の商品見本などが一般的であるが、ディスプレイ台７０の係合穴に嵌合させることができない、例えば、缶，瓶，ペットボトルなどの容器から中身飲料などを抜いた空容器などを展示する場合には、ディスプレイ台７０の係合穴に着脱自在な商品見本展示用アタッチメントを用いて空容器を展示するように構成されている（例えば、特許文献１）。
【０００６】
また、庫内における商品の保存状態（商品のコールド，ホット状態）、及び商品価格の表示のため、前記ディスプレイ台７０の前面に各立体状商品見本８０に対応する商品のコールド，ホット状態を表す冷温パターン（寒色である青色，暖色である赤色）を表示する冷温表示部材、及び商品価格の価格情報を表示する価格表示部材を装着するのが一般的である一方、商品の入れ替えや商品価格の変更の際における価格情報の変更を容易にするため、価格表示部材に替えて液晶ディスプレイ（ＬＣＤ）や７セグメント型数字表示器を備えた商品情報表示ユニットを用いて価格表示を行うものも知られている（例えば、特許文献２）。
【先行技術文献】
【特許文献】
【０００７】
【特許文献１】特開２００８−２４２５０５号公報
【特許文献２】特開２００８−２１２４０号公報
【発明の概要】
【発明が解決しようとする課題】
【０００８】
ところで、特許文献１に記載された立体状の商品見本に加え、プラスチックシートに商品の外観意匠を印刷した矩形平板からなるシート状商品見本が知られており、このシート状商品見本と立体状の商品見本を同一のディスプレイ台に並べて展示することが望まれている。しかしながら、シート状商品見本は立体状の商品見本のようにディスプレイ台の開口部に直接嵌合させることが困難である。このため、シート状商品見本を保持するとともにディスプレイ台の係合穴と係合する係合部を備えた商品見本展示用アタッチメントを設けることが考えられる。ところが、シート状商品見本は剛性の弱い薄いプラスチックシートからなることからシート状商品見本の下端のみを保持した場合にはシート状商品見本は起立姿勢を維持することができずに折れ曲がってしまう。このため、商品見本展示用アタッチメントを細長いシート状商品見本の周縁を保持するような大形のものとせねばならず、コストが嵩むという課題を有する。
【０００９】
また、自動販売機においては、需要電力のピーク時に冷却／加熱運転を停止して消費電力量の低減を図っているが、更なる消費電力量の低減のために照明を消灯する取り組みが行われている。この場合、特許文献２に記載された価格表示ユニットもご多分に漏れず電源遮断の対象となる。このように、価格表示ユニットの電源が遮断された場合の対応策として、商品価格の価格情報を表示した価格表示部材をディスプレイ台に装着することが考えられるが、この場合には費用が嵩むことから価格情報を表示した価格シールを貼り付けるのが一般的である。ところが、価格シールの貼り付けに際して価格シールの貼り付け位置はメンテナンス作業を行うオペレーターの勘が頼りとなる。すなわち、常日頃においてはディスプレイ台における価格表示ユニットによる価格情報の表示領域について意識することがなく、いざ価格シールを貼り付けようとした場合、価格シールの貼り付け位置はオペレーターの勘に頼らざるを得ない。そして、価格シールは一つのディスプレイ台に対して複数枚、すなわち、ディスプレイ台に展示された複数の商品見本に対応して複数枚存在し、これを見栄え良く貼り付けねばならない。前記見栄えとは、貼り付けられた複数の価格シールの高さ位置が一定（同一水平線上）で、かつ、複数の商品見本に対応して左右方向に等間隔であることを意味しており、見栄えが悪い場合には利用者にぞんざいな印象（商品も乱暴に取扱われている印象）を与えて販売機会を逸するおそれがある。この場合、価格シールの貼り付けに時間をかけることが許されるならば、オペレーターの勘が頼りであっても価格シール見栄え良く貼り付けることが可能であるが、価格シールの貼り付けに時間をかけることは販売機会を逸することから許されない。したがって、短時間のうちに価格シールを見栄え良く貼り付けることは至極困難であるという課題を有する。
【００１０】
そこで、本発明は上記の点に鑑みなされたものであり、その目的は前記課題を解決し、立体状商品見本とシート状商品見本とを一つのディスプレイ台に混合して展示することが可能で、かつ、短時間のうちに価格シールを見栄え良く貼り付けることが可能な自動販売機の商品見本展示装置を提供することにある。
【課題を解決するための手段】
【００１１】
上記目的を達成するため請求項１に係る自動販売機の商品見本展示装置は、本体キャビネットの前面を開閉する外扉に形成されたディスプレイ室内に配設され、複数の立体状商品見本を展示するディスプレイ台と、前記ディスプレイ台上に展示された複数の商品見本に対応して少なくとも商品価格の価格情報をデジタル表示する商品情報表示ユニットとを備え、前記商品情報表示ユニットをディスプレイ台の前面に設置してなる自動販売機の商品見本展示装置において、前記商品情報表示ユニットに前後に重ねて装着される横長帯状の透明平板部、及び当該透明平板部の上部に連ねて形成され、薄い平板からなるシート状商品見本を係止固定する保持部を備えた商品見本展示用アタッチメントを設け、当該商品見本展示用アタッチメントの透明平板部は、前記商品情報表示ユニットにおける価格情報の表示位置に対応する箇所に価格シールの貼り付け位置を示す標示部を有することを特徴とする。
【００１２】
また、請求項２に係る発明は、請求項１記載の自動販売機の商品見本展示装置において、標示部は凹形若しくは凸形のレンズとして形成されていることを特徴とする。
【００１３】
また、請求項３に係る発明は、請求項１記載の自動販売機の商品見本展示装置において、商品見本展示用アタッチメントにおける横長帯状の透明平板部の上部に連ねて形成される保持部は、薄い平板からなるシート状商品見本の下部に上下方向に延在するとともに下方に開放した二つのスリットが差し込まれる左右方向に延在する塀状のレール具であり、当該レール具に前記シート状商品見本の二つのスリット間の幅寸法よりも小さい幅寸法で前記各シート状商品見本のスリットと相互に係合するスリットを形成してなることを特徴とする。
【００１４】
また、請求項４に係る発明は、請求項１記載の自動販売機の商品見本展示装置において、商品見本展示用アタッチメントにおける横長帯状の透明平板部の上部に連ねて形成される保持部は、シート状商品見本の下端を保持する一条の保持溝を有し、かつ、前記一条の保持溝を前方側に凸となるように湾曲状に形成した複数の保持具であることを特徴とする。
【発明の効果】
【００１５】
本発明の請求項１に係る自動販売機の商品見本展示装置によれば、本体キャビネットの前面を開閉する外扉に形成されたディスプレイ室内に配設され、複数の立体状商品見本を展示するディスプレイ台と、前記ディスプレイ台上に展示された複数の商品見本に対応して少なくとも商品価格の価格情報をデジタル表示する商品情報表示ユニットとを備え、前記商品情報表示ユニットをディスプレイ台の前面に設置してなる自動販売機の商品見本展示装置において、前記商品情報表示ユニットに前後に重ねて装着される横長帯状の透明平板部、及び当該透明平板部の上部に連ねて形成され、薄い平板からなるシート状商品見本を係止固定する保持部を備えた商品見本展示用アタッチメントを設け、当該商品見本展示用アタッチメントの透明平板部は、前記商品情報表示ユニットにおける価格情報の表示位置に対応する箇所に価格シールの貼り付け位置を示す標示部を有することにより、シート状商品見本を展示する商品見本展示用アタッチメントを立体状の商品見本を展示するディスプレイ台に追加装備することができるので、立体状の商品見本とシート状商品見本を一つのディスプレイ台に混合して展示することができる。また、商品情報表示ユニットの電源が遮断されて商品価格の価格情報がオフした場合、商品見本展示用アタッチメントの透明平板部に価格シールを貼り付けることにより商品価格の価格情報を表示することができ、この場合、前記商品見本展示用アタッチメントの透明平板部に価格シールの貼り付け位置を示す標示部を有することから短時間のうちに価格シールを見栄え良く貼り付けることができる。
【００１６】
また、請求項２に係る自動販売機の商品見本展示装置によれば、請求項１記載の自動販売機の商品見本展示装置において、標示部は凹形若しくは凸形のレンズとして形成されていることにより、商品情報表示ユニットにより商品価格の価格情報を表示している際、当該価格情報を表示部のレンズ効果により拡大して表示することができる。
【００１７】
また、請求項３に係る自動販売機の商品見本展示装置によれば、請求項１記載の自動販売機の商品見本展示装置において、商品見本展示用アタッチメントにおける横長帯状の透明平板部の上部に連ねて形成される保持部は、薄い平板からなるシート状商品見本の下部に上下方向に延在するとともに下方に開放した二つのスリットが差し込まれる左右方向に延在する塀状のレール具であり、当該レール具に前記シート状商品見本の二つのスリット間の幅寸法よりも小さい幅寸法で前記各シート状商品見本のスリットと相互に係合するスリットを形成してなることにより、商品見本展示用アタッチメントのレール具に形成したスリット間の幅寸法がシート状商品見本のスリット間の幅寸法よりも小さいことから、前記商品見本展示用アタッチメントのレール具に形成したスリットにシート状商品見本のスリットを差し込んで相互に係合させることによりシート状商品見本が強制的に左右方向に湾曲させられる。したがって、薄い平板からなるシート状商品見本の剛性を高めることができ、これによりシート状商品見本を起立姿勢に維持することができる。
【００１８】
また、請求項４に係る自動販売機の商品見本展示装置によれば、請求項１記載の自動販売機の商品見本展示装置において、商品見本展示用アタッチメントにおける横長帯状の透明平板部の上部に連ねて形成される保持部は、シート状商品見本の下端を保持する一条の保持溝を有し、かつ、前記一条の保持溝を前方側に凸となるように湾曲状に形成した複数の保持具であることにより、前記保持溝に下端を装着されたシート状商品見本は保持溝の湾曲に倣って湾曲するので、シート状商品見本が薄い平板からなる場合にもその剛性を高めることができ、シート状商品見本を安定した起立姿勢で展示することができる。
【図面の簡単な説明】
【００１９】
【図１】本発明の実施の形態１に係る自動販売機の商品見本展示装置を示し、（ａ）はディスプレイ台の要部斜視図、（ｂ）は（ａ）の正面視右端側の拡大斜視図である。
【図２】図１に示したディスプレイ台の分解斜視図である。
【図３】図１に示したディスプレイ台の組立てを示す分解斜視図である。
【図４】図１に示したディスプレイ台の側面図である。
【図５】商品展示用アタッチメントとシート状商品見本とを分解して示し、（ａ）はその斜視図、（ｂ）は（ａ）の要部拡大図、（ｃ）は取付け状態の側面図である。
【図６】図１に示したディスプレイ台が配設されたディスプレイ室の側面図である。
【図７】本発明の実施の形態２に係る自動販売機の商品見本展示装置を示し、（ａ）はディスプレイ台の要部斜視図、（ｂ）は（ａ）のディスプレイ台の正面視右側の拡大斜視図である。
【図８】図７に示したディスプレイ台を示し、（ａ）はディスプレイ台の分解斜視図、（ｂ）は（ａ）の右端側の拡大斜視図である。
【図９】図７に示したディスプレイ台から商品見本展示用アタッチメントを取外して示す分解斜視図である。
【図１０】図９に示した商品展示用アタッチメントの保持部を示す平面図である。
【図１１】本発明が対象とする自動販売機の一例を示す斜視図である。
【発明を実施するための形態】
【００２０】
以下、本発明の実施の形態に係る自動販売機の商品見本展示装置について添付図面を参照して説明する。ここで、本発明の実施の形態に係る自動販売機の商品見本展示装置が従来装置と相違する点は特にディスプレイ台の周辺であり、ここでは従来装置と相違するディスプレイ台の周辺について説明することとし、また、自動販売機の全体構成は図１１に示したものと同一であるので適宜図１１を参照しつつ説明を行う。なお、ディスプレイ台は左右対称であるので、図では正面視右側を代表して図示している。
（実施の形態１）
図１において、１はディスプレイ台であり、このディスプレイ台１は薄板鋼板製の商品載置台３と固定部材２とからなる。前記固定部材２は商品載置台３を支持し、当該固定部材２がディスプレイ室５０の中扉６０（図１１参照）に係止固定される。前記商品載置台３は、立体状商品見本８０が嵌合係止される複数の係合穴３１１を備えたステージ状の上面壁３１と、上面壁３１の両端から下方に延在する左右側壁３２，３２とからなる。前記固定部材２は、後述する図２に示すように、下面が開放した横長の箱形に形成され、前記商品載置台３を上部から被せることができるように当該商品載置台３よりも一回り小さく形成されている。前記固定部材２に対して商品載置台３は着脱自在に設けられている。前記固定部材２の前面壁２３の前面には複数の立体状商品見本８０に対応して当該立体状商品見本８０のコールド，ホット状態を表す冷温情報４１が表示された冷温表示部材４が着脱自在に係止保持され、また、前記固定部材２の前面壁２３の背面には商品価格の価格情報５１をデジタル表示する価格表示ユニット５が固定されている。前記価格表示ユニット５が商品情報表示ユニットを構成し、この例では冷温表示部材４、及び価格表示ユニット５が左右に２分割されている。
【００２１】
図２はディスプレイ台１の分解斜視図、図３はディスプレイ台１の組立てを示す分解斜視図、図４は図１に示したディスプレイ台の側面図、図５は商品展示用アタッチメントとシート状商品見本とを分解して示し、（ａ）はその斜視図、（ｂ）は（ａ）の要部拡大図、（ｃ）は取付け状態の側面図、図６は図１に示したディスプレイ台が配設されたディスプレイ室の側面図であり、これらの図を用いて各部材について更に説明する。
【００２２】
前記商品載置台３はステージ状の上面壁３１に複数の係合穴３１１が形成され、左右側面壁３２にはそれぞれ内側に向って突出する支持軸３５が取付けられている。この支持軸３５は、合成樹脂製になり、図１、図２では前記支持軸３５の頭部が示されており、後述する図４に示すように、支持軸３５の軸部３５ａの上端側の周面の一部を削ぎ取って平坦面とした断面Ｄ状に形成されている。また、前記商品載置台３の前面壁３３は、商品載置台３の左右端部に化粧板として形成され、左右の前面壁３３の間は大きく切り欠かれて開口している。
【００２３】
前記商品載置台３とともにディスプレイ台１を構成する固定部材２は、上面壁２１と、上面壁２１の両端から下方に延在する左右の側壁２２と、上面壁２１の前後端から下方に延在する前面壁２３及び後面壁２４により下面が開放した横長の箱形に形成されている。前記固定部材２の上面壁２１及び前面壁２３の中央部は大きく切り欠かれて開口しており、当該開口は桟２１１により左右に二分されている。また、前記固定部材２の側壁２２には、前記支持軸３５を嵌合支持する異形溝２６が形成されている。この異形溝２６は、図２，図４に示すように、前記支持軸３５を回転可能に支える前半域の円弧状溝部２６１と、前記円弧状溝部２６１に連ねて後半域に形成され、前記支持軸３５の移動を拘束して商品載置台３を展示位置に保持するスライド溝部２６２と、前記円弧状溝部２６１とスライド溝部２６２との中間位置から側壁２２上縁に切欠き開口した挿脱溝部２６３とからなる。なお、前記円弧状溝部２６１は支持軸３５の軸部より一回り大きく形成され、また、図４に示すように、前記スライド溝部２６２の高さ寸法ｈは支持軸３５の直径よりも小さい寸法の断面Ｄ状の軸部３５ａに合わせて形成されている。
【００２４】
前記固定部材２の前面壁２３の下端には前方側に折り返して形成された係止部２３１を備えている。この係止部２３１は、前面壁２３との間に冷温表示部材４を係止保持する係止溝を形成する。また、前記固定部材２の前面壁２３の左右両端部及び桟２１１には前記係止部２３１により保持された冷温表示部材４が左右方向にずれるのを防止する係止突起２３２が形成されている。なお、前記固定部材２の後面壁２４には、ディスプレイ室５０の中扉６０（図６参照）に設けた角穴（不図示）に引っ掛けて当該固定部材２を定位置に固定する係合爪２５が切り起こし形成されている。
【００２５】
前記固定部材２の前面壁２３の背面に固着される価格表示ユニット５は、図２に示すように、７セグメント型数字表示器や液晶ディスプレイからなる表示部が実装された回路基板を内蔵する横長の枠体５００を備え、当該枠体５００の前面に前記表示部の表示面が露出する表示窓５０１が形成されている。この価格表示ユニット５は、前記固定部材２の前面壁２３の背面に図示を省略したねじにより固着される。
【００２６】
前記固定部材２の前面壁２３に係止保持される冷温表示部材４は、乳白色（光透過性）のアクリル樹脂により横長帯状に形成されるとともに冷温情報４１の表示領域が上下に間隔を置いて区分され、当該上下の表示領域にそれぞれ異なる冷温情報４１を互いに逆さにして表示してなる。この実施の形態では、冷温表示部材４の上部の表示領域には「ＨＯＴ」の文字、下部の表示領域には「ＣＯＬＤ」の文字が互いに逆さまに表示されている。なお、図には明示されていないが、冷温情報４１は、商品のホット状態を表すパターンとして暖色（赤色）の背景色に白抜きの「ＨＯＴ」の文字が施され、商品のコールド状態を表すパターンとして寒色（青色）の背景色に白抜きの「ＣＯＬＤ」の文字が施されているものである。前記冷温情報４１が表示された上下の表示領域の間の中間領域は、当該冷温表示部材４を固定部材２の前面壁２３に形成された係止部２３１に装着した際に前記価格表示ユニット５の表示窓５０１に対峙するように定められている。また、前記冷温表示部材４を固定部材２の前面壁２３に形成された係止部２３１に装着した際、冷温情報４１を表示する上下の表示領域のうち、下方の表示領域が係止部２３１に隠れるように定められている。
【００２７】
なお、ディスプレイ台１（横長の箱形の固定部材２）の内部には、照明光源としての蛍光灯（不図示）が配設され、当該蛍光灯からの光が固定部材２の上面壁２１の開口、及び商品載置台３の上面壁３１に形成した係合穴３１１を介して立体状商品見本８０の内部に照射されるように構成されているものである。
【００２８】
次に、ディスプレイ台１の組立てについて説明すると、まず、固定部材２に価格表示ユニット５を組付ける。この場合、横長の箱形の固定部材２の開放した下面から固定部材２の内部に価格表示ユニット５を挿入し、固定部材２の前面壁２３の開口に価格表示ユニット５が臨むように位置決めしたうえで価格表示ユニット５を前面壁２３の背面にねじ止めする。このように、価格表示ユニット５が組付けられた固定部材２をディスプレイ室５０の中扉６０（図６参照）に取付ける。この固定部材２の中扉６０への取付けは、固定部材２の後面壁２４に、背面側に切り起しにより形成された係合爪２５を中扉６０に設けた角穴に挿入係止させる。これにより固定部材２が中扉６０の所定位置に固定される。次いで、中扉６０に固着された固定部材２に対して商品載置台３を、前記固定部材２の上方から被せるように装着する。この場合、商品載置台３の左右側壁３２に内側に向けて突出する支持軸３５を固定部材２の異形溝２６における挿脱溝部２６３に対峙させた上で、商品載置台３を固定部材２に被せる。そして、商品載置台３の上面壁３１の内壁が固定部材２の上面壁２１に当接すると、支持軸３５が固定部材２の異形溝２６に嵌合した状態で商品載置台３が固定部材２に一体化される。この後、商品載置台３を後方（中扉６０側）にスライドさせると、支持軸３５が異形溝２６のスライド溝部２６２に移動して商品見本展示位置にセットされる。
【００２９】
そして、固定部材２に対して商品載置台３を商品見本展示位置にセットした状態で、固定部材２の前面壁２３に形成した係止部２３１に冷温表示部材４を装着する。この場合、冷温表示部材４は、左端部若しくは右端部と中央部の係止突起２３２，２３２の間に位置させたうえで、係止部２３１の上方から冷温表示部材４の背面を前面壁２３に沿わせつつ係止部２３１の保持溝に挿入する。これにより冷温表示部材４はディスプレイ台１の前面に係止保持される。
【００３０】
前述したように、固定部材２の異形溝２６に支持軸３５を嵌合させて商品載置台３を商品見本展示位置にセットするとともに固定部材２の前面壁２３の係止部２３１に冷温表示部材４を装着したディスプレイ台１は、図１に示すように、商品載置台３に載置された複数の立体状商品見本８０を起立姿勢で展示している。そして、ディスプレイ台１の前面に位置する冷温表示部材４及び価格表示ユニット５によりそれぞれの立体状商品見本８０のコールド，ホット状態を表す冷温情報４１及び商品価格の価格情報５１が表示される。この場合、冷温表示部材４における冷温情報４１を表示した上下の表示領域のうちの上方の表示領域が表示（図示の場合、「ＨＯＴ」の冷温情報）され、冷温表示部材４における冷温情報４１を表示した上下の表示領域の間の中間領域に価格表示ユニット５の価格情報５１が表示される。前記価格表示ユニット５の価格情報５１が表示される冷温表示部材４における中間領域は光透過性の乳白色に着色されているので、価格情報５１が浮き上がって表示される。なお、価格表示ユニット５の表示部に商品価格の数字のみを表示する場合には、エンマーク（\）を表示した透明板を冷温表示部材４に重ね合わせて配設することができる。この場合、価格表示ユニット５に透明板に表示したエンマーク（\）を照射するＬＥＤを設けると、冷温表示部材４における中間領域に価格情報５１とともにエンマーク（\）も浮かび上がって表示される。
【００３１】
さて、シート状商品見本８１を起立姿勢でディスプレイ台１に展示するための商品見本展示用アタッチメント６について図５を用いて説明する。前記商品見本展示用アタッチメント６は、冷温表示部材４に相当する大きさを有する透明平板部６１及び当該透明平板部６１の上部に連ねて形成されたレール具６３からなる透明なプラスチック成形品である。前記透明平板部６１は、冷温表示部材４の長さに相当する横幅を有する横長帯状に形成されている。この透明平板部６１の平板面の所定位置には、複数の凸レンズからなる標示部６２が形成されている。この場合、標示部６２は凸面が透明平板部６１の面と面一となるように透明平板部６１に埋設して形成するのがよい。前記透明平板部６１の上部に連ねて形成されたレール具６３は、透明平板部６１の上端から前方に突出する庇部６１０（図５の（ｃ）参照）の略中央から上側に突出し、左右方向に延在する塀状に形成されている。レール具６３の前面には差し込み溝６１１が形成されている。この差し込み溝６１１には次に示すシート状商品見本８１が差し込まれるものである。また、前記レール具６３には複数のスリット６３１・・・が形成されている。
【００３２】
前記シート状商品見本８１は、可撓性の薄いプラスチックシートに商品の外観意匠を印刷した矩形平板状の透明若しくは半透明のシートからなるものである。このシート状商品見本８１の下部には上下方向に延在するとともに下方に開放した少なくとも二つのスリット８１０、８１０が設けられ、左右側縁の下端寄りには切欠８１１，８１１がそれぞれ設けられている。前記スリット８１０、８１０の深さは、前記商品見本展示用アタッチメント６のレール具６３におけるスリット６３１の下縁から差し込み溝６１１の溝底までの長さより僅かに長い寸法に定められている。
【００３３】
ここで、前記商品見本展示用アタッチメント６のレール具６３に形成された複数のスリット６３１・・・は、シート状商品見本８１の下部に形成されたスリット８１０、８１０に対応してそれぞれのシート状商品見本８１ごとに設けられているものである。図５の（ｂ）に示すように、各シート状商品見本８１の下部に形成されたスリット８１０、８１０の間の幅寸法Ｌ２と、このスリット８１０、８１０に対応してレール具６３に形成された一対のスリット６３１，６３１の間の幅寸法Ｌ１は、Ｌ２＞Ｌ１となるように定められている。
【００３４】
次に、前記商品見本展示用アタッチメント６のディスプレイ台１への取付けについて説明する。前記商品見本展示用アタッチメント６は、その透明平板部６１を、ディスプレイ台１を構成する固定部材２の前面壁２３に沿って配設された冷温表示部材４に前後に重ね合わせて装着することによりディスプレイ台１の前面に配備される。具体的には、冷温表示部材４と固定部材２の前面壁２３との間に商品見本展示用アタッチメント６の透明平板部６１を挿入し、前記冷温表示部材４と固定部材２の前面壁２３により透明平板部６１を挟持固定する（図６参照）。この場合、商品見本展示用アタッチメント６の透明平板部６１に形成された複数の標示部６２は、固定部材２に固着された価格表示ユニット５の表示窓５０１と対峙するように定められている。
【００３５】
前記ディスプレイ台１に装着された商品見本展示用アタッチメント６のレール具６３にシート状商品見本８１が取付けられる。このシート状商品見本８１のレール具６３への取付けは、シート状商品見本８１の左右のスリット８１０、８１０（図５参照）をレール具６３に形成した一対のスリット６３１，６３１に差し込むことによってシート状商品見本８１が位置決めされるものである。このように、シート状商品見本８１の左右のスリット８１０、８１０をレール具６３に形成した一対のスリット６３１，６３１に差し込むことによってシート状商品見本８１が位置決めされるとともに前方側に凸となるように湾曲した状態が維持されることにより薄いプラスチックシートからなるシート状商品見本８１を起立姿勢に自立ことが可能となる。そして、ディスプレイ台１に取付けられた商品見本展示用アタッチメント６のレール具６３と商品載置台３の複数の係合穴３１１にシート状商品見本８１と立体状の立体状商品見本８０を適宜取付けることにより、シート状商品見本８１と立体状商品見本８０を同一のディスプレイ台１に並べて展示することができる。なお、図６において、９００は商品選択ボタンユニット９０を透明板４０に取付けるための取付金具である。この取付金具９００は商品選択ボタンユニット９０の幅に対応する幅を有する断面コ字状の横長帯状に形成されている。
【００３６】
ここで、前記シート状商品見本８１には切欠８１１（図１の（ａ）、図５の（ａ）参照）が設けられている。この切欠８１１について次に説明する。前述したような矩形平板状のシート状商品見本８１の下端を湾曲させた際、シート状商品見本８１の全体が湾曲してしまうことがある。そこで、シート状商品見本８１には左右側縁の下部側に切欠８１１を設けている。このように、切欠８１１を有するシート状商品見本８１の下端を湾曲させる、つまり、前記商品見本展示用アタッチメント６のレール具６３に装着した場合、シート状商品見本８１の切欠８１１よりも下部側はレール具６３への装着により湾曲（曲率の小さい湾曲）するが、前記切欠８１１によって下部側との繋がりが一部絶たれた切欠８１１よりも上部側の湾曲は下部側の湾曲に対して比較的小さくなる（曲率の大きな湾曲となる）。このように、切欠８１１を形成することによりシート状商品見本８１の湾曲を抑えることができる一方、切欠８１１よりも下部側はレール具６３への装着により湾曲することから薄いプラスチックシートからなるシート状商品見本８１を安定して起立姿勢に維持することができる。なお、切欠８１１は角型に限らず円弧形状とすることもでき、さらに、切欠８１１に代えて切り込みを入れることもできるものである。
【００３７】
図１に示すように、商品見本展示用アタッチメント６をディスプレイ台１に取付けてシート状商品見本８１と立体状商品見本８０を混合して展示した状態で、ディスプレイ台１の価格表示ユニット５に通電すると、ディスプレイ台１の前面に配設された冷温表示部材４におけるそれぞれのコールド，ホット状態を表す冷温情報４１（図示の場合、「ＨＯＴ」の冷温情報）の下部領域に価格情報５１が浮かび上がるように表示される。この場合、商品見本展示用アタッチメント６の透明平板部６１に形成された複数の標示部６２が、固定部材２に固着された価格表示ユニット５のそれぞれの表示窓５０１と対峙するように定められ、かつ、凸レンズとして形成されていることにより、価格表示ユニット５の価格情報５１が拡大して表示される。
【００３８】
一方、節電のために価格表示ユニット５の電源が遮断された場合、価格表示ユニット５の価格情報５１の代わりに商品価格の価格情報を表示した価格シール５２（図５参照）が用いられ、以下、この価格シール５２の貼り付けについて説明する。この実施の形態においては、価格シール５２は商品見本展示用アタッチメント６の透明平板部６１に貼り付けられる。この場合、自動販売機の外扉２０（図１１参照）を開放した後、外扉２０に閉扉状態に係止された中扉６０を開放してディスプレイ台１の前面を露出させる。そして、ディスプレイ台１に装着された商品見本展示用アタッチメント６を取り外したうえで、商品見本展示用アタッチメント６の透明平板部６１に価格シール５２を貼り付ける。ここで、商品見本展示用アタッチメント６の透明平板部６１には標示部６２、つまり、価格シール５２の貼り付け位置を示す目印が形成されているので、この標示部６２の上に価格シール５２を貼り付ければよい。このように、標示部６２に合わせて価格シール５２を貼り付ければよいので、価格シール５２の貼着を極めて簡単に行うことができ、貼着作業時間を短縮することが可能となる。
【００３９】
また、前記標示部６２は、価格表示ユニット５のそれぞれの表示窓５０１と対峙するように定められていることから、その高さ位置が一定（同一水平線上）で、かつ、複数の商品見本に対応して左右方向に等間隔であり、当該標示部６２に合わせて貼り付けられた複数の価格シール５２もその高さ位置が一定（同一水平線上）で、かつ、複数の商品見本（立体状商品見本８０，シート状商品見本８１）に対応して左右方向に等間隔となる。したがって、価格シール５２が貼着された商品見本展示用アタッチメント６を再びディスプレイ台１に装着すれば、図１に示した価格表示ユニット５の価格情報５１と略同一の位置に価格シール５２の価格情報が表示される。つまり、価格シール５２は、その高さ位置が一定（同一水平線上）で、かつ、複数の商品見本に対応して左右方向に等間隔となるので、見栄えを損なうことがない。
【００４０】
前述した本発明の実施の形態１に係る自動販売機の商品見本展示装置によれば、本体キャビネット１０の前面を開閉する外扉２０に形成されたディスプレイ室５０内に配設され、複数の立体状商品見本８０を展示するディスプレイ台１と、前記ディスプレイ台１上に展示された複数の立体状商品見本８０に対応して少なくとも商品価格の価格情報５１をデジタル表示する商品情報表示ユニット（価格表示ユニット５）とを備え、前記商品情報表示ユニット（価格表示ユニット５）をディスプレイ台１の前面に設置してなる自動販売機の商品見本展示装置において、前記商品情報表示ユニット（価格表示ユニット５）に前後に重ねて装着される横長帯状の透明平板部６１、及び当該透明平板部６１の上部に連ねて形成され、薄い平板からなるシート状商品見本８１を係止固定する保持部（レール具６３）を備えた商品見本展示用アタッチメント６を設け、当該商品見本展示用アタッチメント６の透明平板部６１は、前記商品情報表示ユニット（価格表示ユニット５）における価格情報５１の表示位置に対応する箇所に価格シール５２の貼り付け位置を示す標示部６２を有することにより、シート状商品見本８１を展示する商品見本展示用アタッチメント６を立体状商品見本８０を展示するディスプレイ台１に追加装備することができるので、立体状商品見本８０とシート状商品見本８１を一つのディスプレイ台１に混合して展示することができる。また、商品情報表示ユニット（価格表示ユニット５）の電源が遮断されて商品価格の価格情報５１が消灯された場合、商品見本展示用アタッチメント６の透明平板部６１に価格シール５２を貼り付けることにより商品価格の価格情報５１を表示することができ、この場合、前記商品見本展示用アタッチメント６の透明平板部６１に価格シール５２の貼り付け位置を示す標示部６２を有することから価格シール５２を短時間のうちに見栄え良く貼り付けることができるものである。
【００４１】
なお、上記実施の形態１においては、レール具６３が前方を向く庇部６１０の上面に形成したについて説明したが、例えば、庇部６１０が後方を向くものであってもよく、また、透明平板部６１の延長線上にレール具６３を形成したうえで、シート状商品見本８１の下端と当接する当接部を設けることもできる。したがって、レール具６３とはシート状商品見本８１のスリット８１０、８１０を差し込むことによりシート状商品見本８１を湾曲した状態で自立させるものを総称するものであり、前述した実施の形態によりこの発明が限定されるものではない。
（実施の形態２）
上記実施の形態１においては、ディスプレイ台の前面に商品情報表示ユニットとしての価格表示ユニット５を配設したものについて説明したが、ディスプレイ台の前面に、商品のコールド，ホット状態を表す冷温表示及び商品価格の価格表示を行う液晶表示部を備えた商品情報デジタルディスプレイを配設したものの場合、商品情報デジタルディスプレイに並べて商品見本展示用アタッチメント６の透明平板部６１を配設することもできるものであり、以下にディスプレイ台の前面に商品情報デジタルディスプレイを配設したものについて説明する。図７〜図１０は、本発明の実施の形態２に係る自動販売機の商品見本展示装置を示す。
【００４２】
図７において、１Ａはディスプレイ台であり、このディスプレイ台１Ａは鋼板製の固定部材２Ａと商品載置台３Ａとからなる。前記固定部材２Ａは商品載置台３Ａを支持する腕木としてのブラケット２７（図８参照）を有し、当該ブラケット２７が中扉６０（図１１参照）に係止固定されている。７は液晶ディスプレイ（ＬＣＤ）を備えた商品情報デジタルディスプレイであり、商品載置台３Ａに載置された複数の立体状商品見本８０若しくは後述するシート状商品見本８１に対応して当該立体状商品見本８０のコールド，ホット状態を表す冷温表示及び商品価格の価格表示を行う液晶表示部７１を備えている。この商品情報デジタルディスプレイ７が商品情報表示ユニットを構成する。８は左右方向に延在する鋼板製の取付金具であり、前記固定部材２Ａにねじ止めされて商品情報デジタルディスプレイ７の下端を保持するものである。
【００４３】
前記固定部材２Ａは、図８に示すように左右のブラケット２７を天板２８により連結してなり、天板２８には複数の開口２８１が形成されるとともに天板２８の前縁には前方斜め上方に折り曲げられた係止片２８２が設けられている。前記固定部材２Ａの左右のブラケット２７は左右対称であるので、ここでは正面視右側のブラケット２７を代表として説明する。前記ブラケット２７には上面に向けて開放した挿脱溝部２７ａが形成されるとともに前縁に商品情報デジタルディスプレイ７を係止する係止部２７ｂ、及びねじＳが螺合するねじ穴２７ｃが形成されている。前記ブラケット２７の後縁には内方に向けて折り曲げられた後壁２９（図８の（ａ）参照）が形成され、この後壁２９に切起しにより係止片２９１が形成されている。この係止片２９１を中扉６０（図１１参照）に設けた係止穴に嵌合させることにより固定部材２Ａが中扉６０に係止固定される。
【００４４】
前記商品載置台３Ａは、図８に示すように、上面壁３１Ａの両端から下方に延在された左右側壁３２Ａを備えてなり、上面壁３１Ａには立体状商品見本８０を嵌合保持する係合穴３１１Ａが左右方向に複数並設されている。前記商品載置台３Ａの左右側壁３２Ａは左右対称であるので、ここでは正面視右側の側壁３２Ａを代表として説明する。前記側壁３２Ａには、前方斜め下方向に開放した切欠３６が形成されている。また、前記側壁３２Ａには内側に向けて切起した当接片３７が形成されている。
【００４５】
前記商品情報デジタルディスプレイ７は、図８に示すように、液晶表示部７１が実装された回路基板を内蔵する横長のデジタル表示ユニット７２の前面に白色塗装が施された化粧枠７３を組付けてなるものである。前記化粧枠７３には液晶表示部７１に対応する箇所に窓７３１が形成されており、化粧枠７３の上端部は後方斜め下方に向けて傾斜した係合片７３２が形成されている。この係合片７３２は固定部材２Ａの天板２８に形成された係止片２８２に係合するものである。なお、図８の（ｂ）に示すように、化粧枠７３の前面から側方寄りには切り起こしにより係止爪７３３が形成されている。図示は省略したが、化粧枠７３の左端側にも前記係止爪７３３と向う合うように係止爪が切り起こしにより形成されているものである。これらの係止爪７３３により化粧枠７３の前面に配備された横長帯状の透明なカバー部材７４が保持されているものである。前記透明なカバー部材７４は、デジタル表示ユニット７２の液晶表示部７１を保護するものである。
【００４６】
前記取付金具８は縦断面が略Ｌ字形に形成された鋼板製になり、白色塗装が施されている。また、前記取付金具８の前面側の板面（Ｌ字形における長辺側の板面）には階段状の段差部８Ａ（図８の（ｂ）参照）が形成されているとともにねじＳが挿通するねじ挿通穴８２が穿孔されている。
【００４７】
次に、ディスプレイ台１Ａの組立てについて説明すると、まず、左右一対の固定部材２Ａを中扉６０（図１１参照）に取付ける。この固定部材２Ａの中扉６０への取付けは、左右ブラケット２７の後壁２９に切起しにより形成された係止片２９１を中扉６０の所定位置に穿孔した係合穴に嵌合させることにより固定部材２Ａが中扉６０に固着される。次いで、中扉６０に固着された固定部材２Ａの左右ブラケット２７に対して商品載置台３Ａを、固定部材２Ａの上方から被せるように装着する。この場合、商品載置台３Ａの左右側壁３２Ａに内側に向けて切起した当接片３７を左右ブラケット２７の挿脱溝部２７ａに対峙させた上で、商品載置台３Ａを固定部材２Ａに被せる。そして、商品載置台３Ａの上面壁３１Ａが固定部材２Ａの天板２８に当接すると、商品載置台３Ａの左右側壁３２Ａの当接片３７が左右ブラケット２７の挿脱溝部２７ａに嵌合した状態で固定部材２Ａにセットされる。ここで、商品載置台３Ａの左右側壁３２Ａに内側に向けて切り起した当接片３７が固定部材２Ａの挿脱溝部２７ａに嵌合しているので、商品載置台３Ａの前後方向への移動が規制される。
【００４８】
次いで、前記商品情報デジタルディスプレイ７を中扉６０（図１１参照）に固着された前記固定部材２Ａに次のように組付ける。すなわち、商品情報デジタルディスプレイ７の背面を固定部材２Ａの左右ブラケット２７の前縁に当接させ、その際、商品情報デジタルディスプレイ７の下面を左右ブラケット２７の係止部２７ｂの上方に位置させた上で、商品情報デジタルディスプレイ７を左右ブラケット２７の前縁に沿わせた状態で商品情報デジタルディスプレイ７の下面が左右ブラケット２７の係止部２７ｂに当接するまで下方にスライドさせる。前記商品情報デジタルディスプレイ７の下面が前記係止部２７ｂに当接すると商品情報デジタルディスプレイ７が固定部材２Ａに位置決めされるとともに前記商品情報デジタルディスプレイ７における化粧枠７３の係合片７３２が固定部材２Ａの天板２８の前縁に形成した係止片２８２に係合する。この状態で取付金具８を、その段差部８Ａが商品情報デジタルディスプレイ７の下面に沿うように配設し、ねじＳにより左右ブラケット２７にねじ止めする。これにより、商品情報デジタルディスプレイ７が固定部材２Ａに固定される。なお、前記固定部材２Ａの左右ブラケット２７の中扉６０（図１１参照）への固着位置を適宜定めることにより、商品情報デジタルディスプレイ７の左右端部は、当該左右ブラケット２７よりも外側に突出しているものである。
【００４９】
前述したように固定部材２Ａに商品載置台３Ａをセットするとともに固定部材２Ａに商品情報デジタルディスプレイ７を取付けたディスプレイ台１Ａには、図７に示すように、商品載置台３Ａに展示された立体状商品見本８０とシート状商品見本８１とを起立姿勢で展示している。シート状商品見本８１は、可撓性の薄いプラスチックシートに商品の外観意匠を印刷した矩形平板状の透明若しくは半透明のシートからなるものである。このシート状商品見本８１は商品見本展示用アタッチメント６Ａを介してディスプレイ台１Ａに取り付けられるが、これについては後述する。そして、ディスプレイ台１Ａの前面に位置する商品情報デジタルディスプレイ７における各液晶表示部７１にそれぞれの商品見本８０，８１のコールド，ホット状態を表す冷温情報７５（図示の場合、「ＣＯＬＤ」の冷温情報）、及び商品価格の価格情報７６が表示される。なお、商品情報デジタルディスプレイ７の下端を保持する取付金具８は、図１１に示したディスプレイ室５０の前面の透明板４０に設けられた商品選択ボタンユニット９０の背後に位置しており、自動販売機の正面からは商品選択ボタンユニット９０に隠れて見えないようになっている。
【００５０】
さて、シート状商品見本８１を起立姿勢でディスプレイ台１Ａに展示するための商品見本展示用アタッチメント６Ａについて図９、図１０を用いて説明する。前記商品見本展示用アタッチメント６Ａは、商品情報デジタルディスプレイ７の前面に配備された横長帯状の透明なカバー部材７４（図８の（ｂ）参照）に相当する大きさを有する透明平板部６１Ａ及び当該透明平板部６１Ａの上部に連ねて形成された保持具６３Ａからなるプラスチック成形品である。前記透明平板部６１Ａは、商品情報デジタルディスプレイ７の化粧枠７３に形成された左右の係止爪７３３の間の間隔に相当する横幅を有する横長帯状に形成されている。この透明平板部６１Ａの平板面の所定位置には、複数の凹レンズからなる標示部６２Ａが形成されている。前記透明平板部６１Ａの上部に連ねて形成された保持具６３Ａ、この例では、商品載置台３Ａの上面壁３１Ａに形成されたところの、立体状商品見本８０を嵌合保持する１２個の係合穴３１１Ａ（図８参照）に対応して設けられた１２個の保持具６３Ａは、それぞれ前方側に凸の湾曲状に形成されており、その湾曲に沿ってそれぞれ一条の保持溝６３１（図１０を参照）が形成されている。前記保持溝６３１は薄いシート状商品見本８１が挿入され、当該シート状商品見本８１を保持するものである。この薄いシート状商品見本８１を保持するために保持溝６３１の溝幅は微小間隙として形成せねばならない。このため、図１０に示すように、前記保持溝６３１の内壁は互い違いに噛み合う鋸歯状に形成され、両者の鋸歯の先端の間に微小間隙が生じるように構成されている。
【００５１】
ここで、図１０に示すように、前記保持溝６３１は、その内壁に互い違いに噛み合うように形成された鋸歯のうち、少なくとも保持溝６３１の左右端部６３２，６３２と中央部６３３における対向する鋸歯の先端の間の間隔Ｌ１０をシート状商品見本８１の厚みと略一致する狭幅とし、他の領域における対向する鋸歯の先端の間の間隔Ｌ２０をシート状商品見本８１の厚みに対して比較的広い広幅として構成されている。このように、保持溝６３１は、シート状商品見本８１の厚みと略一致する間隔Ｌ１０の狭幅の溝が分散して形成される一方、狭幅の溝を除く他の溝がシート状商品見本８１の厚みに対して比較的広い間隔Ｌ２０の広幅の溝として形成されていることから、分散された狭幅の溝にシート状商品見本８１を挿入すればよい。したがって、保持溝６３１が全域に亘って狭幅の溝である場合には保持溝６３１が湾曲していることも手伝ってシート状商品見本８１の保持溝６３１への挿入作業に手間がかかるのに対し、狭幅の溝を分散させた場合には分散された狭幅の溝にシート状商品見本８１の保持溝６３１へ挿入すればよいので、その挿入作業が頗る容易となり、シート状商品見本８１の保持溝６２１Ａへの挿入作業を簡単にすることができる。しかも、分散された狭幅の溝によってシート状商品見本８１を保持するので、シート状商品見本８１を湾曲した状態に維持することができ、薄いプラスチックシートからなるシート状商品見本８１を安定した起立姿勢で展示することができる。
【００５２】
次に、前記商品見本展示用アタッチメント６Ａのディスプレイ台１Ａへの取付けについて説明する。前記商品見本展示用アタッチメント６Ａは、商品情報デジタルディスプレイ７の前面に配備された横長帯状の透明なカバー部材７４を取外したうえで、透明平板部６１Ａを化粧枠７３の前面に配備した後、化粧枠７３に形成された係止爪７３３により係止固定する。このように、ディスプレイ台１Ａに装着された商品見本展示用アタッチメント６Ａの保持具６３Ａにおける保持溝６３１にはシート状商品見本８１が挿入される。この場合、シート状商品見本８１は下端の一部のみが保持溝６３１に挿入された状態で保持具６３Ａに保持されることとなるが、保持溝６３１が湾曲していることからシート状商品見本８１も保持溝６３１の湾曲に倣って平面視前方側に凸となるように湾曲した状態で起立する。このように、シート状商品見本８１を湾曲させて保持することにより薄いプラスチックシートからなるシート状商品見本８１を安定した起立姿勢に維持することができる。そして、商品見本展示用アタッチメント６Ａの複数の保持具６３Ａ及び商品載置台３Ａの複数の係合穴３１１Ａにシート状商品見本８１及び立体状の商品見本８０を適宜取付けることにより、シート状商品見本８１及び立体状の商品見本８０を同一のディスプレイ台１Ａに並べて展示することができるものである。
【００５３】
図７に示すように、商品見本展示用アタッチメント６Ａをディスプレイ台１Ａに取付けることによりシート状商品見本８１と立体状商品見本８０を混合して展示した状態で、商品情報デジタルディスプレイ７に通電すると、商品情報デジタルディスプレイ７の液晶表示部７１にそれぞれのコールド，ホット状態を表す冷温情報７５（図示の場合、「ＣＯＬＤ」の冷温情報）、及び商品価格の価格情報７６が表示される。この場合、商品見本展示用アタッチメント６Ａの透明平板部６１Ａに形成された複数の標示部６２Ａが、ディスプレイ台１Ａの前面に配設された商品情報デジタルディスプレイ７のそれぞれの液晶表示部７１に表示された商品価格の価格情報７６と対峙するように定められ、かつ、凹レンズとして形成されていることにより、商品情報デジタルディスプレイ７の価格情報７６が拡大して表示される。
【００５４】
一方、節電のために商品情報デジタルディスプレイ７の電源が遮断された場合、商品情報デジタルディスプレイ７の価格情報７６の代わりに商品価格の価格情報を表示した価格シール５２（図９参照）が用いられ、以下、この価格シール５２の貼り付けについて説明する。この実施の形態においては、価格シール５２は商品見本展示用アタッチメント６Ａの透明平板部６１Ａに貼り付けられる。この場合、自動販売機の外扉２０（図１１参照）を開放した後、外扉２０に閉扉状態に係止された中扉６０を開放してディスプレイ台１Ａの前面を露出させる。そして、ディスプレイ台１Ａに装着された商品見本展示用アタッチメント６Ａを取り外したうえで、商品見本展示用アタッチメント６Ａの透明平板部６１Ａに価格シール５２を貼り付ける。ここで、商品見本展示用アタッチメント６Ａの透明平板部６１Ａには標示部６２Ａ、つまり、価格シール５２の貼り付け位置を示す目印が形成されており、この標示部６２Ａの上に価格シール５２を貼り付ければよい。このように、標示部６２Ａに合わせて価格シール５２を貼り付ければよいので、価格シール５２の貼着作を極めて簡単に行うことができ、貼着作業時間を短縮することが可能となる。
【００５５】
また、この場合、前記標示部６２Ａは、商品情報デジタルディスプレイ７のそれぞれの液晶表示部７１に表示された商品価格の価格情報７６と対峙するように定められていることから、その高さ位置が一定（同一水平線上）で、かつ、複数の商品見本に対応して左右方向に等間隔であり、当該標示部６２Ａに合わせて貼り付けられた複数の価格シール５２もその高さ位置が一定（同一水平線上）で、かつ、複数の商品見本８０，８１に対応して左右方向に等間隔となる。したがって、価格シール５２が貼着された商品見本展示用アタッチメント６Ａを再びディスプレイ台１Ａに装着すれば、図７に示した商品情報デジタルディスプレイ７のそれぞれの液晶表示部７１に表示された価格情報７６と略同一の位置に価格シール５２の価格情報が表示される。つまり、価格シール５２は、その高さ位置が一定（同一水平線上）で、かつ、複数の商品見本に対応して左右方向に等間隔となるので、見栄えを損なうことがない。
【００５６】
なお、この実施の形態２に係る自動販売機の商品見本展示装置においては、節電のために商品情報デジタルディスプレイ７の電源が遮断された場合には、ディスプレイ台１Ａに展示されたシート状商品見本８１と立体状商品見本８０のそれぞれのコールド，ホット状態を表す冷温情報７５もオフしてしまう。そのため、冷温情報を表示した冷温シール（不図示）を商品見本展示用アタッチメント６Ａの透明平板部６１Ａに貼り付けることができる。この場合、冷温シールの貼り付け位置の目印として標示部を設けておくのがよい。このように、標示部を設けることにより、冷温シールの貼り付けに要する時間を短縮することができるとともに見栄えを損なうことがないものである。
【００５７】
前述した本発明の実施の形態２に係る自動販売機の商品見本展示装置によれば、本体キャビネット１０の前面を開閉する外扉２０に形成されたディスプレイ室５０内に配設され、複数の立体状商品見本８０を展示するディスプレイ台１Ａと、前記ディスプレイ台１Ａ上に展示された複数の立体状商品見本８０に対応して少なくとも商品価格の価格情報７６をデジタル表示する商品情報表示ユニット（商品情報デジタルディスプレイ７）とを備え、前記商品情報表示ユニット（商品情報デジタルディスプレイ７）をディスプレイ台１の前面に設置してなる自動販売機の商品見本展示装置において、前記商品情報表示ユニット（商品情報デジタルディスプレイ７）に前後に重ねて装着される横長帯状の透明平板部６１Ａ、及び当該透明平板部６１Ａの上部に連ねて形成され、薄い平板からなるシート状商品見本８１を係止固定する保持部（保持具６３Ａ）を備えた商品見本展示用アタッチメント６Ａを設け、当該商品見本展示用アタッチメント６Ａの透明平板部６１Ａは、前記商品情報表示ユニット（商品情報デジタルディスプレイ７）における価格情報７６の表示位置に対応する箇所に価格シール５２の貼り付け位置を示す標示部６２Ａを有することにより、シート状商品見本８１を展示する商品見本展示用アタッチメント６Ａを立体状商品見本８０を展示するディスプレイ台１Ａに追加装備することができるので、立体状商品見本８０とシート状商品見本８１を一つのディスプレイ台１Ａに混合して展示することができる。また、商品情報表示ユニット（商品情報デジタルディスプレイ７）の電源が遮断されて商品価格の価格情報７６がオフした場合、商品見本展示用アタッチメント６Ａの透明平板部６１Ａに価格シール５２を貼り付けることにより商品価格の価格情報７６を表示することができ、この場合、前記商品見本展示用アタッチメント６Ａの透明平板部６１Ａに価格シール５２の貼り付け位置を示す標示部６２Ａを有することから価格シール５２を見栄え良く貼り付けることができるものである。
【００５８】
なお、前記実施の形態２ではシート状商品見本８１と立体状商品見本８０とを一つのディスプレイ台１に混合して展示することについて説明したが、立体状商品見本８０の前面に位置する商品見本展示用アタッチメント６Ａの保持溝６３１に広告シートを装着することもできる。この場合、広告シートはシート状商品見本８１と同様に可撓性の薄い透明なプラスチックシートからなり、「新発売」などの広告を表示したものである。また、商品見本展示用アタッチメント６Ａは透明平板部６１Ａを商品情報デジタルディスプレイ７のカバー部材７４を兼用するものについて説明したが、これに限るものではない。前記カバー部材７４を残す場合には、取付金具８に商品見本展示用アタッチメント６Ａの透明平板部６１Ａを係止固定する係止爪を設ければよく、前述した実施の形態によりこの発明が限定されるものではない。
【符号の説明】
【００５９】
１，１Ａ…ディスプレイ台、２…固定部材、２Ａ…ブラケット（固定部材）、３，３Ａ…商品載置台、４…冷温表示部材、５…価格表示ユニット（商品情報表示ユニット）、６，６Ａ…商品見本展示用アタッチメント、７…商品情報デジタルディスプレイ（商品情報表示ユニット）、８…取付金具、１０…本体キャビネット、２０…外扉、３０…内扉、５０…ディスプレイ室、５１，７６…価格情報、６０…中扉、６１，６１Ａ…透明平板部、６２，６２Ａ…標示部、６３…レール具（保持部）、６３Ａ…保持具（保持部）、７１…液晶表示部、７２…デジタル表示ユニット、８０…立体状商品見本、８１…シート状商品見本、３１１…係合穴、６３１…スリット、８１０…スリット、８１１…切欠。
【図１】
0005800140.tif 000002
【図２】
0005800140.tif 000003
【図３】
0005800140.tif 000004
【図４】
0005800140.tif 000005
【図５】
0005800140.tif 000006
【図６】
0005800140.tif 000007
【図７】
0005800140.tif 000008
【図８】
0005800140.tif 000009
【図９】
0005800140.tif 000010
【図１０】
0005800140.tif 000011
【図１１】
0005800140.tif 000012